(57)【要約】【課題】ゴムチューブを任意の固定物に連結して効果的にトレーニングを行うことができるトレーニング用具を提供する。【解決手段】トレーニング用具１０は、環状のゴムチューブ２０と、ゴムチューブ２０に連結された第１のカラビナ３１および第２のカラビナ３２と、第１のカラビナ３１を介してゴムチューブ２０に連結された紐部材４０と、第２のカラビナ３２を介してゴムチューブ２０に連結された把持部５０と、を有する。第１のカラビナ３１および第２のカラビナ３２は、ゴムチューブ２０に案内されて各々移動可能であり、紐部材４０は、トレーニングをするユーザＵの近傍の固定物ＯＢに連結可能であり、把持部５０は、手または足で保持可能である。【選択図】図３
0003226971.tif 000002
【実用新案登録請求の範囲】
【請求項１】
弾性のある力抵抗体を用いて身体を発達または強化するためのトレーニング用具であって、
環状の力抵抗体と、
前記力抵抗体に連結された第１の連結部材および第２の連結部材と、
前記第１の連結部材を介して前記力抵抗体に連結された紐部材と、
前記第２の連結部材を介して前記力抵抗体に連結された把持部と、を有し、
前記第１の連結部材と前記第２の連結部材は、前記力抵抗体に案内されて互いに移動可能であり、
前記紐部材は、ユーザの身体の一部またはユーザの近傍の固定物に連結可能であり、
前記把持部は、手または足で保持可能であることを特徴とするトレーニング用具。
【請求項２】
前記力抵抗体として、弾性が異なる複数種類の力抵抗体が用意されており、
前記第１の連結部材および前記第２の連結部材は、前記力抵抗体に着脱自在に連結される、請求項１に記載のトレーニング用具。
【請求項３】
前記連結部材は、カラビナである、請求項２に記載のトレーニング用具。
【請求項４】
前記力抵抗体は、ゴムチューブである、請求項１から３のいずれか一項に記載のトレーニング用具。
【請求項５】
前記ゴムチューブは、自転車のタイヤチューブとして製造されたものである、請求項４に記載のトレーニング用具。
【請求項６】
前記把持部は、手で握るためのパイプと、当該パイプを前記第２の連結部材に連結する紐とにより構成される、請求項１から５のいずれか一項に記載のトレーニング用具。
【考案の詳細な説明】
【技術分野】
【０００１】
本考案は、弾性のある力抵抗体を用いて身体を発達または強化するためのトレーニング用具に関する。
【背景技術】
【０００２】
従来、身体の筋肉または関節を発達もしくは強化するためのトレーニング用具として、ゴムチューブの両端部に把持部を設けた所謂トレーニングチューブが知られている。トレーニングチューブによれば、ゴムチューブの中間部分を足で踏んだ状態または柱や手すりなど固定物に連結した状態で、把持部を把持してゴムチューブを引っ張ることにより、手軽にトレーニングを行うことができる。
【先行技術文献】
【特許文献】
【０００３】
【特許文献１】特開２００２−１９１７１６号公報
【特許文献２】特開２０２０−２８４６０号公報
【考案の概要】
【考案が解決しようとする課題】
【０００４】
しかし、上述したトレーニングチューブは、ゴムチューブを固定物に巻き付けたり括り付けたりして連結した場合、ゴムチューブの可用部分の長さが短くなってしまうため、トレーニングを効果的に行うことができなくなることがある。このため、上述したトレーニングチューブは、ゴムチューブを連結できる固定物が限られ、使用できる場所および使用方法が制限されるという欠点があった。
【０００５】
本考案は、ゴムチューブなど弾性のある力抵抗体を任意の固定物に連結して効果的にトレーニングを行うことができるトレーニング用具を提供する。
【課題を解決するための手段】
【０００６】
上記課題を解決するために、請求項１のトレーニング用具は、弾性のある力抵抗体を用いて身体を発達または強化するためのトレーニング用具であって、環状の力抵抗体と、前記力抵抗体に連結された第１の連結部材および第２の連結部材と、前記第１の連結部材を介して前記力抵抗体に連結された紐部材と、前記第２の連結部材を介して前記力抵抗体に連結された把持部と、を有し、
前記第１の連結部材および前記第２の連結部材は、前記力抵抗体に案内されて各々移動可能であり、前記紐部材は、トレーニングをするユーザの近傍の固定物に連結可能であり、前記把持部は、手または足で保持可能であることを特徴とする。
【０００７】
上記のように構成されたトレーニング用具によれば、紐部材を固定物に連結した状態で、ユーザが把持部を把持して力抵抗体を引っ張ることによりトレーニングを行うことができる。紐部材は、括り付ける、巻き付ける、引っ掛ける、といった多様な方法で固定物に連結可能であるので、種々の固定物に連結可能である。したがって、このトレーニング用具を使用することにより、ユーザは力抵抗体を任意の固定物に連結して効果的にトレーニングを行うことができる。
【０００８】
また、請求項２のトレーニング用具は、請求項１のトレーニング用具において、前記力抵抗体として、弾性の異なる複数種類の力抵抗体が用意されており、前記第１の連結部材および前記第２の連結部材は、前記力抵抗体に着脱自在に連結されることを特徴とする。
【０００９】
上記のように構成されたトレーニング用具によれば、第１の連結部材および第２の連結部材を、力抵抗体から取り外し、弾性の異なる別の力抵抗体に付け替えることができるので、ユーザは、所望の負荷を発生し得る力抵抗体を使用して効果的にトレーニングを行うことができる。
【００１０】
また、請求項３のトレーニング用具は、請求項２のトレーニング用具において、前記連結部材はカラビナであることを特徴とする。
【００１１】
上記のように構成されたトレーニング用具は、連結部材としてカラビナを採用したことにより、力抵抗体への第１の連結部材および第２の連結部材の着脱を容易に行うことができる。
【００１２】
また、請求項４のトレーニング用具は、請求項１から３のいずれかのトレーニング用具において、前記力抵抗体は、ゴムチューブであることを特徴とする。
【００１３】
上記のように構成されたトレーニング用具は、力抵抗体として、ゴムチューブを採用したことにより、簡単な構成で実現できる。
【００１４】
また、請求項５のトレーニング用具は、請求項４に記載のトレーニング用具において、前記ゴムチューブは、自転車のタイヤチューブとして製造されたものであることを特徴とする。
【００１５】
上記のように構成されたトレーニング用具は、力抵抗体として、自転車のタイヤチューブを利用することにより、安価に実現できる。
【００１６】
また、請求項６のトレーニング用具は、請求項１から５のいずれかのトレーニング用具において、前記把持部は、手で握るためのパイプと、そのパイプを前記第２の連結部材に連結する紐とにより構成されることを特徴とする。
【００１７】
上記のように構成されたトレーニング用具は、市販のパイプおよび市販の紐を使用して把持部を構成することにより、安価に実現できる。
【考案の効果】
【００１８】
本考案のトレーニング用具を使用することにより、ユーザは、紐部材を任意の固定物に連結して効果的にトレーニングを行うことができる。
【図面の簡単な説明】
【００１９】
【図１】本考案の一実施形態を示すトレーニング用具の斜視図である。
【図２】図1に示すトレーニング用具の分解斜視図である。
【図３】図1に示すトレーニング用具の使用方法の一例を示す図である。
【考案を実施するための形態】
【００２０】
以下、添付図面を参照して、一実施形態のトレーニング用具について説明する。
【００２１】
［構成］
添付図面に示す一実施形態のトレーニング用具１０は、弾性のある力抵抗体を用いて身体を発達または強化するためのトレーニング用具である。
【００２２】
図１および図２に示すように、トレーニング用具１０は、環状のゴムチューブ（力抵抗体）２０と、ゴムチューブ２０に連結された第１のカラビナ（第１の連結部材）３１および第２のカラビナ（第２の連結部材）３２と、第１のカラビナ３１を介してゴムチューブ２０に連結される紐部材４０と、第２のカラビナ３２を介してゴムチューブ２０に連結される把持部５０と、を有する。
【００２３】
ゴムチューブ２０は、自転車のタイヤチューブとして製造されたものである。ゴムチューブ２０として、寸法および弾性が異なる複数種類のタイヤチューブが用意されている。
【００２４】
第１のカラビナ３１および第２のカラビナ３２は、ゴムチューブ２０に着脱自在に連結される。第一のカラビナ３１は平面楕円形状の金属製のリングにより形成されており、一部に開閉部３３が設けられており、必要に応じてゴムチューブ２０及び紐部材４０から取り外すことができる。
また、第２のカラビナ３２は平面略ひょうたん形状の金属製リングにより形成され、一部に開閉部３３が設けられており、小径部３４には把持部５０の紐５２が配置されると共に大径部３５にはゴムチューブ２０が配置されるように構成されている。
第１のカラビナ３１および第２のカラビナ３２は、ゴムチューブ２０に案内されて各々移動可能である。第１のカラビナ３１および第２のカラビナ３２の材質は、鉄、ステンレス、アルミニウム、超々ジュラルミンなどである。
【００２５】
紐部材４０には、成人男子が最大限の力で繰り返し引っ張っても切れることがない程に高強度であり且つ手触りの良い紐が用いられる。紐部材４０に用いられる紐の材質は綿、麻などであり、直径は約１ｃｍである。紐部材４０は、トレーニングをするユーザの身体の一部またはユーザの近傍の固定物（たとえば柱など）に連結可能である。固定物への紐部材４０の連結の仕方は、括り付ける、巻き付ける、引っ掛ける、など多様であり、固定物の形状、大きさなどによって任意の連結態様を採用することができる。
【００２６】
把持部５０は、トレーニングをするユーザが手または足で保持可能である。把持部５０は、手で握るためのパイプ５１と、パイプ４１を第２のカラビナ３２に連結する紐５２とにより構成される。パイプ５１として、配水管などに使用される市販の塩化ビニール製のパイプ材を加工（切断、研磨、等）したものを使用することができる。パイプ５１の寸法（太さおよび長さ）は、トレーニングをする際に握りやすく邪魔にならない寸法が選ばれる。パイプ５１の外径および内径は、たとえばそれぞれ３２ｍｍ、２５ｍｍである。また、パイプ５１の長さは、たとえば１００ｍｍである。紐５２には、紐部材４０と同様に高強度であり且つ手触りの良い紐が用いられる。
【００２７】
［作用効果］
上記のように構成された、一実施形態のトレーニング用具１０は、図３に例示するように、紐部材４０を柱などの固定物ＯＢに連結した状態で、ユーザＵが把持部５０を把持してゴムチューブ２０を引っ張ることによりトレーニングを行うことができる。紐部材４０は、括り付ける、巻き付ける、引っ掛ける、といった多様な方法で固定物ＯＢに連結可能であるので、種々の固定物ＯＢに連結可能である。したがって、このトレーニング用具１０を使用することにより、ユーザはゴムチューブ２０を任意の固定物ＯＢに連結して効果的にトレーニングを行うことができる。トレーニング用具１０は、ボクシング、キックボクシング、空手等の格闘技のための筋力トレーニング用具として好適である。また、トレーニング用具１０は、ボート、スキーなど、様々なスポーツのための筋力トレーニング用具としても広く使用され得る。
【００２８】
また、一実施形態のトレーニング用具１０によれば、第１のカラビナ３１および第２のカラビナ３２を、ゴムチューブ２０から取り外し、弾性の異なる別のゴムチューブ２０に付け替えることができるので、ユーザは、所望の負荷を発生し得るゴムチューブ２０を使用して効果的にトレーニングを行うことができる。
【００２９】
また、一実施形態のトレーニング用具１９は、連結部材としてカラビナを採用したことにより、ゴムチューブ２０への紐部材４０および把持部５０の着脱を容易に行うことができる。
【００３０】
また、一実施形態のトレーニング用具１９は、力抵抗体としてゴムチューブ２０を採用したことにより、簡単な構成で実現できる。
【００３１】
また、一実施形態のトレーニング用具１９は、力抵抗体として自転車のタイヤチューブを利用することができるので、安価に実現可能である。
【００３２】
また、一実施形態のトレーニング用具１９は、市販のパイプ材および市販の紐を使用して把持部５０を構成することができるので、安価に実現可能である。
【００３３】
なお、本考案は上記実施形態に限定されない。たとえば、上記実施形態では、力抵抗体としてゴムチューブ２０を採用したが、力抵抗体としてゴムバンドを採用してもよい。また、第１のカラビナ３１に関しては、第２のカラビナ３２を代用することもできる。
【００３４】
また、上記実施形態では、図３を参照して、トレーニング用具１９を固定物ＯＢに連結して使用する例について説明したが、トレーニング用具１９は、固定物ＯＢに連結しない態様で使用することも可能である。たとえば、従来のトレーニングチューブと同様に、ゴムチューブ２０の中間部分を足で踏んだ状態で、把持部５０を把持してゴムチューブ２０を引っ張ることによりトレーニングを行うことも可能である。要するに、トレーニング用具１９の使用方法は多様であり、ユーザは、トレーニングの目的に応じた多様な使い方をすることができる。
【００３５】
また、上記実施形態に示した寸法の値、材質などは例示であり、ここに示した以外の寸法の値、素材などを採用してもよい。
【符号の説明】
【００３６】
１０  トレーニング用具
２０  ゴムチューブ（力抵抗体）
３１  第１のカラビナ（第１の連結部材）
３２  第２のカラビナ（第２の連結部材）
３３  開閉部
３４  小径部
３５  大経部
４０  紐部材
５０  把持部
５１  パイプ
５２  紐
ＯＢ  固定物
Ｕ  ユーザ
【図１】
0003226971.tif 000003
【図２】
0003226971.tif 000004
【図３】
0003226971.tif 000005